(57)【特許請求の範囲】
【請求項１】
第１の熱交換器と、
車両前後方向で前記第１の熱交換器と並列にならんで設けられ、通気抵抗が前記第１の熱交換器よりも大きい第２の熱交換器と、
車両前後方向で前記第１の熱交換器および前記第２の熱交換器の後方に、前記第１の熱交換器および前記第２の熱交換器と直列にならんで設けられた第３の熱交換器と、
車両前後方向で前記第３の熱交換器の後方に設けられている送風機およびシュラウドと、
を有し、前記第３の熱交換器は、前記第１の熱交換器と重なっている第１熱交換器重なり部位と、前記第２の熱交換器と重なっている第２熱交換器重なり部位とを備えており、
前記シュラウドの開口部が、前記第１熱交換器重なり部位と、第２熱交換器重なり部位の、前記第１熱交換器重なり部位側の一部とに重なっており、
前記シュラウドの前側の開口部が、前記第３の熱交換器の後面に接しているか、もしくは、前記第３の熱交換器の後面から僅かに離れており、
前記第１の熱交換器は、空調用コンデンサであり、前記第２の熱交換器は、サブラジエータであり、前記第３の熱交換器は、ラジエータであることを特徴とする冷却装置。
【請求項２】
請求項１に記載の冷却装置において、
車両前後方向で前記第２の熱交換器の厚さが、前記第１の熱交換器の厚さよりも厚いことを特徴とする冷却装置。
【請求項３】
請求項１または請求項２に記載の冷却装置において、
前記第１の熱交換器は前記第２の熱交換器の上方に位置していることを特徴とする冷却装置。
【請求項４】
請求項１〜請求項３のいずれか１項に記載の冷却装置において、
前記第１の熱交換器と、前記第２の熱交換器との間での空気の流れを遮断する仕切り板を有することを特徴とする冷却装置。
【発明の詳細な説明】
【技術分野】
【０００１】
本発明は、冷却装置に係り、特に、複数の熱交換器と、送風機および送風機シュラウドとを有するものに関する。
【背景技術】
【０００２】
従来、図３で示すような冷却装置３０１が知られている。冷却装置３０１は、たとえば、車両３０３に搭載されており、空調用コンデンサ３０５と、サブラジエータ３０７と、ラジエータ３０９とを備えている。また、冷却装置３０１には、シュラウド３１１と、ファン３１３とが設けられている。
【０００３】
そして、車両３０３が走行しているときには、走行風が、空調用コンデンサ３０５と、ラジエータ３０９（ラジエータ３０９の上側の部位）とを通過し、また、サブラジエータ３０７と、ラジエータ３０９（ラジエータ３０９の下側の部位）とを通過することで、空調用コンデンサ３０５の冷媒と、サブラジエータ３０７の冷媒と、ラジエータ３０９の冷媒とが、冷却されるようになっている。
【０００４】
また、車両３０３が停車しているとき（アイドル状態にあるとき）等には、ファン３０３によって生成された空気流が、空調用コンデンサ３０５と、ラジエータ３０９（ラジエータ３０９の上側の部位）とを通過し、空調用コンデンサ３０５の冷媒と、ラジエータ３０９の冷媒とが、冷却されるようになっている。
【０００５】
なお、従来の技術に関連する文献として、たとえば、特許文献１を掲げることができる。
【先行技術文献】
【特許文献】
【０００６】
【特許文献１】特開２００９−２４８９２０号公報
【発明の概要】
【発明が解決しようとする課題】
【０００７】
従来の冷却装置３０１では、車両３０３の走行状態に応じて、空調用コンデンサ３０５と、サブラジエータ３０７とを効率良く冷却することができない場合があるという問題がある。
【０００８】
さらに説明すると、車両３０３の走行風による冷却では冷却不足はほとんど発生しない。一方、車両３０３がアイドル状態にある場合等、車両３０３の走行風による冷却が十分にできない状態では、ファン３１３を稼働する。これにより、ファン３１３で発生した空気流が、空調用コンデンサ３０５を通過して、空調用コンデンサ３０５の冷媒が冷却される。
【０００９】
しかし、ファン３１３を稼働しているとき、空調用コンデンサ３０５だけでなく、サブラジエータ３０７も空気が通過するので、空調コンデサ３０５をより一層冷却することが必要な場合、これに対応することができない場合があるおそれがある。
【００１０】
本発明は、上記問題点に鑑みてなされたものであり、複数の熱交換器と、送風機とを備えた冷却装置において、各熱交換器を効率良く冷却することができるとともに、特に、走行風による冷却が期待できない場合においても、複数の熱交換器のうちで冷却を必要としている熱交換器を十分に冷却することができる冷却装置を提供することを目的とする。
【課題を解決するための手段】
【００１１】
本発明は、第１の熱交換器と、車両前後方向で前記第１の熱交換器と並列にならんで設けられ、通気抵抗が前記第１の熱交換器よりも大きい第２の熱交換器と、車両前後方向で前記第１の熱交換器および前記第２の熱交換器の後方に、前記第１の熱交換器および前記第２の熱交換器と直列にならんで設けられた第３の熱交換器と、車両前後方向で前記第３の熱交換器の後方に設けられている送風機およびシュラウドとを有する冷却装置である。
【発明の効果】
【００１２】
本発明によれば、複数の熱交換器と送風機とを備えた冷却装置において、各熱交換器を効率良く冷却することができるとともに、特に、走行風による走行風による冷却が期待できない場合においても、複数の熱交換器のうちで冷却を必要としている熱交換器を十分に冷却することができる冷却装置を提供することができるという効果を奏する。
【図面の簡単な説明】
【００１３】
【図１】本発明の実施形態に係る冷却装置において送風機（ファン）による冷却がされている状態を示す図である。
【図２】本発明の実施形態に係る冷却装置において走行風による冷却がされている状態を示す図である。
【図３】従来の冷却装置を示す図である。
【発明を実施するための形態】
【００１４】
本発明の実施形態に係る冷却装置１は、たとえば、図１や図２に示すように、自動車等の車両３に搭載（設置）されて使用されるものであり、冷却装置１の冷媒を冷やす空気流は、概ね車両３の前側から後側に向かって流れるようになっている。
【００１５】
冷却装置１は、第１の熱交換器（たとえば、空調用コンデンサ）５と、第２の熱交換器（たとえば、サブラジエータ）７と、第３の熱交換器（たとえば、ラジエータ）９と、シュラウド１１と、送風機（ファン）１３とを備えて構成されている。
【００１６】
サブラジエータ７は、空気の流れ方向である車両前後方向で、空調用コンデンサ５と並列にならんで設けられている。また、サブラジエータ７の通気抵抗と空調用コンデンサ５の通気抵抗とはお互いが異なっている。ここでは、サブラジエータ７の通気抵抗は、空調用コンデンサ５の通気抵抗よりも大きくなっている。
【００１７】
ラジエータ９は、車両前後方向で、空調用コンデンサ５およびサブラジエータ７の後方に、空調用コンデンサ５およびサブラジエータ７と直列にならんで設けられている。なお、空調用コンデンサ５およびサブラジエータ７と、ラジエータ９との間は、所定の間隔があいている。
【００１８】
シュラウド１１は、車両前後方向で、ラジエータ９の後方に設けられている。送風機１３は、空気流を生成するために設けられている。
【００１９】
車両の前側から後側に向かって見たときに、ラジエータ９は、空調用コンデンサ５と重なっている第１熱交換器重なり部位（空調用コンデンサ重なり部位）１５と、サブラジエータ７と重なっている第２熱交換器重なり部位（サブラジエータ重なり部位）１７とを備えている。
【００２０】
さらに説明すると、車両の前側から後側に向かって見たときに、空調用コンデンサ５は、車両上下方向でラジエータ９よりも小さくなっており、ラジエータ９の内側に存在している。また、車両の前側から後側に向かって見たときに、サブラジエータ７も、車両上下方向でラジエータ９より小さくなっている。
【００２１】
空調用コンデンサ５は、サブラジエータ７の上方に位置している。ラジエータ９を所定の境界線（たとえば、水平方向に延伸している直線状の境界線）で２つの部位に分けると、一方の部位（たとえば、上側の部位）に空調用コンデンサ５が重なっていることで一方の部位が第１熱交換器重なり部位１５になっており、他方の部位（たとえば、下側の部位）にサブラジエータ７が重なっていることで他方の部位が第２熱交換器重なり部位１７になっている。
【００２２】
また、車両の前側から後側に向かって見たときに、シュラウド１１の前側の開口部１９が第１熱交換器重なり部位１５の総てと、第２熱交換器重なり部位１７の一部とに重なっている。
【００２３】
さらに、車両の前側から後側に向かって見たときに、第１熱交換器重なり部位１５と、シュラウドの前側の開口部１９との重なり部位２１の面積が、第２熱交換器重なり部位１７と、シュラウドの前側の開口部１９との重なり部位２３の面積よりも大きくなっている。尚、本実施の形態では、開口部１９との重なり部位２１の面積が、開口部１９との重なり部位２３の面積よりも大きいが、重なり部位２１，２３の面積の大小はこの限りではなく、変形例として、重なり部位２１，２３の面積がほぼ等しい場合や、重なり部位２１の面積が重なり部位２３の面積より小さい場合もある。
【００２４】
冷却装置１では、たとえば、サブラジエータ７の厚さ（車両前後方向の寸法）が、空調用コンデンサ５の厚さ（車両前後方向の寸法）よりも厚くなっていることで、サブラジエータ７の通気抵抗が空調用コンデンサ５の通気抵抗よりも大きくなっている。
【００２５】
また、冷却装置１には、空調用コンデンサ５と、サブラジエータ７との間での空気の流れを遮断するための仕切り板２５が設けられている。
【００２６】
ここで、冷却装置１についてさらに詳しく説明する。
【００２７】
冷却装置１では、車両３が停車している等、車両３の走行風による冷却が期待できない場合であっても、送風機１３を稼働することで、空気が各熱交換器５，７，９を通過するようになっている。
【００２８】
ここで、上述した通気抵抗について詳しく説明する。各熱交換器５，７，９はこれらの厚さ方向が車両前後方向になっており、空気は、各熱交換器５，７，９の厚さ方向で各熱交換器５，７，９のそれぞれを通過するようになっている。車両の前側から後側に向かって見たときに、各熱交換器５，７，９は、それぞれが所定の面積を有している。
【００２９】
熱交換器５（７，９）における抵抗係数ξ（グザイ）は、熱交換器５（７，９）における空気の流れ易さを示す値であり、式（ΔＰ＝１／２・ξ（Ｑ／Ａ）２・ρ）で表される。
【００３０】
上式におけるΔＰは、熱交換器５（７，９）における空気の圧力損失を示しており、空気の流れ方向で熱交換器５（７，９）の直前における空気の圧力と、熱交換器５（７，９）の直後における空気の圧力との差である。
【００３１】
上記式におけるＱは、熱交換器５（７，９）を通過する空気流量（単位時間あたりの体積）であり、上記式におけるＡは、熱交換器５（７，９）の面積（前側から後側に向かって見たときの面積）であり、上記式におけるρは、空気の密度である。
【００３２】
上記式から明らかなように、抵抗係数ξは、各熱交換器５，７，９それぞれにおける固有の抵抗係数ということになる。換言すれば、抵抗係数ξは、熱交換器５（７，９）の単位面積あたりの通気抵抗もしくは単位風量あたりの通気抵抗と言える。
【００３３】
また、各熱交換器５，７，９のそれぞれは、内部を水等の冷却媒体が流れる複数本のチューブと、薄く細長い平板状に形成されている複数枚（多数）のフィンとを備えて構成されている。各チューブは、たとえば、上下方向で所定の間隔をあけて左右方向に延びている。多数のフィンは、厚さ方向がチューブの延伸方向で一致し、幅方向が前後方向になるようにして、たとえば、左右方向で所定の間隔をあけて上記チューブと直交する方向（たとえば、上下方向）に延びて上記チューブと一体化している。
【００３４】
熱交換器５（７，９）の通気抵抗は、チューブやフィンの形態で決まる。すなわち、熱交換器５（７，９）の通気抵抗は、チューブの外形やチューブのピッチやフィンの形状やフィンのピッチで決まる。
【００３５】
たとえば、空調用コンデンサ５と、サブラジエータ７とにおいて、チューブの外形、チューブのピッチ、幅寸法を除くフィンの形状、フィンのピッチを同一として考えた場合、サブラジエータ７のフィンの幅（サブラジエータ７の厚さ）を、空調用コンデンサ５のフィンの幅（空調用コンデンサ５の厚さ）よりも大きくすることで、サブラジエータ７の通気抵抗が空調用コンデンサ５の通気抵抗よりも大きくなる。
【００３６】
冷却装置１は、車両３のエンジンルーム２７内の前方に搭載されている。エンジンルーム２７内の後方には車両３を駆動するエンジンが搭載されている。車両３の前部には、バンパー２９が設けられており、バンパー２９の下側にはロアグリル３１が設けられており、上側にはアッパグリル３３が設けられている。
【００３７】
そして、ロアグリル３１やアッパグリル３３から空気がエンジンルーム２７内に入り、冷却空気として冷却装置１を通過し、エンジンに至るようになっている。エンジンルーム２７内に入った空気は、エンジンルーム２７の、たとえば、下側から車両３の外部に出ていくようになっている。
【００３８】
空調用コンデンサ５は、たとえば、矩形な板状に形成されている。冷却装置１が車両３に設置された状態では、空調用コンデンサ５の厚さ方向が車両３の前後方向になっており、空調用コンデンサ５のチューブ内を流れる冷却媒体が、空調用コンデンサ５のフィンと、チューブとの間隙を通過して車両３の前側から後側に向かって流れる空気によって、冷却されるようになっている。
【００３９】
サブラジエータ７も、たとえば、矩形な板状に形成されている。冷却装置１が車両３に設置された状態では、サブラジエータ７の厚さ方向が車両３の前後方向になっており、サブラジエータ７のチューブ内を流れる冷却媒体が、サブラジエータ７のフィンと、チューブとの間隙を通過して車両３の前側から後側に向かって流れる空気によって、冷却されるようになっている。
【００４０】
また、空調用コンデンサ５の下方に、サブラジエータ７が設けられており、車両上下方向で、空調用コンデンサ５の下端の位置と、サブラジエータ７の上端の位置とがお互いにほぼ一致している。
【００４１】
ラジエータ９も、空調用コンデンサ５と同様に、チューブと、フィンとを備えて、たとえば、矩形な板状に形成されている。冷却装置１が車両３に設置された状態では、ラジエータ９の厚さ方向が車両３の前後方向になっており、空調用コンデンサ５と、サブラジエータ７とを通ってきた空気（フィンと、チューブとの間隙を通過した空気）が、ラジエータ９のフィンと、チューブとの間隙を通過して車両３の前側から後側に向かって流れ、この空気によって、ラジエータのチューブ内を流れる冷却媒体が冷却されるようになっている。
【００４２】
また、車両の前側から後側に向かって見ると、空調用コンデンサ５の総ておよびサブラジエータ７の総てに、ラジエータ９が重なっている。
【００４３】
シュラウド１１は、ラジエータ９の後側に設けられている。冷却装置１が車両に設置された状態では、空気が、シュラウド１１の前側の開口部１９から、シュラウド１１の後側の開口部に向かって、シュラウド１１内を流れるようになっている。シュラウド１１の前端の開口部１９は、ラジエータ９の後面に接しているか、もしくは、僅かに離れている。
【００４４】
シュラウド１１の前側の開口部１９は、矩形状に形成されている。車両の前側から後側に向かって見ると、前側の開口部１９は空調用コンデンサ５の総てと、サブラジエータ７の上側の部位とに重なっている。また、車両の前側から後側に向かって見ると、前側の開口部１９の総てが、ラジエータ９の上側の矩形状の部位（第１熱交換器重なり部位１５および第２熱交換器重なり部位２３）に重なっている。
【００４５】
送風機１３は、回転することで空気の流れを発生する羽根３５と、この羽根３５を回転させるモータ３７とを備えて構成されている。また、送風機１３は、シュラウド１１の後方に設置されている。
【００４６】
仕切り板２５は、矩形な薄い板状に形成されており、厚さ方向が車両の上下方向になって、空調用コンデンサ５およびサブラジエータ７と、ラジエータ９との間の空間３９に設置されている。
【００４７】
車両の横方向で、仕切り板２５の左端は、空調用コンデンサ５、およびラジエータ９の左端と一致しており、仕切り板２５の右端は、空調用コンデンサ５、およびラジエータ９の右端と一致している。
【００４８】
車両の前後方向で、仕切り板２５の前端の全長（図１、図２の紙面に直交する方向の寸法における全長）は、空調用コンデンサ５と、サブラジエータ７との境界の全長に接しており、仕切り板２５の後端の全長は、ラジエータ９の前面４１に接している。
【００４９】
これにより、空調用コンデンサ５およびサブラジエータ７と、ラジエータ９との間の空間３９が、上側の空間４３と、下側の空間４５とに仕切られている。上側の空間４３では、空調用コンデンサ５を通過した空気がラジエータ９の上側の部位（第１熱交換器重なり部位１５）に向かって流れ、下側の空間４５では、サブラジエータ７を通過した空気がラジエータ９の下側の部位（第２熱交換器重なり部位１７）に向かって流れるようになっている。
【００５０】
仕切り板２５によって、空調用コンデンサ５を通過した空気と、サブラジエータ７を通過した空気とが、ラジエータ９に到達する前にお互いが遮断され、お互いが混じり合わないようになっている。
【００５１】
なお、図１、図２では、仕切り板２５の後端が、ラジエータ９の前面４１のところに位置しているが、仕切り板２５の後端が、ラジエータ９のフィンを突きって、ラジエータ９の後面まで延びていてもよいし、さらに、ラジエータ９の後面からシュラウド１１内に延びていてもよい。
【００５２】
なお、ラジエータ９は、車両３のエンジンの冷却水（冷却媒体）を冷却するものであり、空調用コンデンサ５は、車両３のキャビン内の空調をするエアコンディショナーの冷媒を冷却するものである。また、サブラジエータ７として、水冷チャージエアクーラの放熱器、電気機器の冷却器の放熱器等を掲げることができる。
【００５３】
次に、冷却装置１の動作を説明する。
【００５４】
車両３の走行風が発生している場合（車両３が、たとえば、高速走行している場合）には、図２で示すように、主としてアッパグリル３３からエンジンルーム２７内に入ってきた空気が、空調用コンデンサ５と、ラジエータ９の上部と、シュラウド１１内をこの順に流れ（図２の矢印Ａ２１、Ａ２３参照）、空調用コンデンサ５と、ラジエータ９とが冷却される。
【００５５】
また、主としてロアグリル３１からエンジンルーム２７内に入ってきた空気が、サブラジエータ７と、ラジエータ９の下部をこの順に流れ（図２の矢印Ａ２４、Ａ２６参照）、サブラジエータ７と、ラジエータ９とが冷却される。
【００５６】
また、主としてロアグリル３１からエンジンルーム２７内に入ってきた空気が、空調用コンデンサ５と、ラジエータ９の上部と、シュラウド１１内をこの順に流れ（図２の矢印Ａ２２、Ａ２３参照）、空調用コンデンサ５と、ラジエータ９とが冷却される。
【００５７】
また、主としてアッパグリル３３からエンジンルーム２７内に入ってきた空気が、サブラジエータ７と、ラジエータ９の下部をこの順に流れ（図２の矢印Ａ２５、Ａ２６参照）、サブラジエータ７と、ラジエータ９とが冷却される。
【００５８】
これらの状態において、送風機１３は稼働している場合もあるし、稼働していない場合もある。また、サブラジエータ７の通気抵抗が空調用コンデンサ５の通気抵抗よりも大きくなっていることで、図２に矢印Ａ２２で示す空気の流れは、図２に矢印Ａ２５で示す空気の流れよりも強くなっている。すなわち、車両の前後方向から見たときの、空調用コンデンサ５の投影面積と、サブラジエータ７の投影面積とがお互いに等しいと仮定すると、図２に矢印Ａ２２で示す空気流量が、図２に矢印Ａ２５で示す空気流量よりも多くなっている。
【００５９】
車両３がアイドル状態等になっていることで走行風がほとんど発生していない場合には、送風機１３が稼働することで羽根３５が回転する。
【００６０】
そして、図１に示すように、主としてアッパグリル３３からエンジンルーム２７内に入った空気が、空調用コンデンサ５と、ラジエータ９の上部と、シュラウド１１内をこの順に流れ（図１の矢印Ａ１１、Ａ１３参照）、空調用コンデンサ５と、ラジエータ９とが冷却される。
【００６１】
また、主としてロアグリル３１からエンジンルーム２７内に入った空気が、空調用コンデンサ５と、ラジエータ９の上部と、シュラウド１１内をこの順に流れ（図１の矢印Ａ１２、Ａ１３参照）、空調用コンデンサ５と、ラジエータ９とが冷却される。
【００６２】
また、主としてロアグリル３１からエンジンルーム２７内に入った空気が、サブラジエータ７と、ラジエータ９の下部（第２熱交換器重なり部位１７）のうちの上側部位（第２熱交換器重なり部位１７と、シュラウドの前側の開口部１９との重なり部位２３）と、シュラウド１１内をこの順に流れ（図１の矢印Ａ１４参照）、サブラジエータ７と、ラジエータ９とが冷却される。
【００６３】
なお、サブラジエータ７の通気抵抗が空調用コンデンサ５の通気抵抗よりも大きくなっていることで、図１に矢印Ａ１２で示す空気の流れは、図１に矢印Ａ１４で示す空気の流れよりも強くなっている。
【００６４】
冷却装置１によれば、空調用コンデンサ５の通気抵抗よりもサブラジエータ７の通気抵抗が大きくなっているので、車両３の走行風による冷却が期待できないときに送風機１３の稼働で発生した空気流が、空調用コンデンサ５に多く流れ（図１の矢印Ａ１１，Ａ１２，Ａ１３参照）、多くの冷却を必要としている空調用コンデンサ５を十分に冷却することができる。一方、走行風による冷却が期待できる場合には、空調コンデサ５だけでなくサブラジエータ７にも十分な量の空気が流れ（図２の矢印Ａ２１，Ａ２２，Ａ２３，Ａ２４、Ａ２６参照）、空調コンデサ５と、サブラジエータ７とを十分に冷却することができる。
【００６５】
すなわち、各熱交換器５，７，９を効率良く冷却することができるとともに、特に、走行風による冷却が期待できない場合においても、空調用コンデンサ５を十分に冷却することができ、空調用コンデンサ５の冷却性能が確保される。
【００６６】
なお、図１の破線の矢印Ａ１４は、矢印Ａ１１，Ａ１２，Ａ１３に比べて量が少ない（たとえば、僅かな）空気の流れを示している。また、図２の破線の矢印Ａ２５も、矢印Ａ２１，Ａ２２，Ａ２３，Ａ２４，Ａ２６に比べて量が少ない空気の流れを示している。
【００６７】
また、冷却装置１によれば、シュラウド１１の前側の開口部１９が、第１熱交換器重なり部位１５と、第２熱交換器重なり部位１７の一部の部位２３とに重なっているので、走行風による冷却が期待できない状況においても、送風機１３によって冷却を必要としている熱交換器（空調用コンデンサ５）を十分に冷却することができることに加えて、サブラジエータ７を的確に冷却することができる。
【００６８】
すなわち、車両３がアイドル状態や低速走行状態になっていて走行風による冷却が期待できない場合において送風機１３が稼働すると、送風機１３の稼働によって、図１に矢印Ａ１１，Ａ１２，Ａ１３，Ａ１４で示す空気の流れと、図１に矢印Ａ１５で示す吹き返しとが発生する。
【００６９】
図１に矢印Ａ１１，Ａ１２，Ａ１３で示す空気は、アッパグリル３３やロアグリル３１から車両３のエンジンルーム２７に内に入り、空調用コンデンサ５（空調用コンデンサ５の全面）と、ラジエータ９の上側部位（第１熱交換器重なり部位１５）とを通過することで、空調用コンデンサ５の冷媒と、ラジエータ９の冷媒とを冷却するようになっている。
【００７０】
図１に矢印Ａ１４で示す空気は、主としてロアグリル３１から車両３のエンジンルーム２７に入り、車両の前後方向から見たときに、シュラウド１１の開口部１９の一部の部位２３がサブラジエータ７にかかっていることで、サブラジエータ７と、ラジエータ９の下側部位（下側部位のうちの上側の部位）２３とを通過し、サブラジエータ７の冷媒と、ラジエータ９の冷媒とを冷却するようになっている。
【００７１】
これによって、車両３がアイドル状態等になっても、空調用コンデンサ５と、サブラジエータ７と、ラジエータ９との冷却性能を確保することができる。
【００７２】
また、図１に矢印Ａ１５で示す吹き返しは、エンジンによって温められた空気の流れであるが、この温められた空気は、後側から前側に向かって流れることでラジエータ９の下側部位（下側部位のうちの下側の部位）を通過した後に、前後方向から見たときにシュラウド１１の開口部１９の一部がラジエータ９にかかっていることで、送風機１３によって後側に吸い込まれる。つまり、エンジンによって温められた空気は、サブラジエータ７を通過することなくただちに上昇して、前側から後側に向かって流れ、ラジエータ９の下側の部位２３を通過するようになっている。
【００７３】
これによって、アイドル時に送風機１３が稼働していても、エンジンによって温められた空気が空調用コンデンサ５を通過することがほぼ無くなり、アイドル時に最も要求される頻度の高い空調用コンデンサ５の冷媒を十分に冷却することができ、車両３のキャビン内の冷房能力が低下することが防止される。
【００７４】
一方、車両３が走行していることで、冷却のための十分な走行風が発生していれば、図２に矢印Ａ２１，Ａ２２，Ａ２３，Ａ２４，Ａ２６で示すように、アッパグリル３３やロアグリル３１から入ってきた空気が、空調用コンデンサ５の全面と、ラジエータ９の上側部位とを通過し、主としてロアグリル３１から入ってきた空気が、サブラジエータ７の全面と、ラジエータ９の下側部位とを通過する。つまり、空調用コンデンサ５の全面と、サブラジエータ７の全面と、ラジエータ９の全面とを空気が通過する。これにより、空調用コンデンサ５の冷媒と、サブラジエータ７の冷媒と、ラジエータ９の冷媒とを十分に冷却することができる。
【００７５】
また、冷却装置１によれば、サブラジエータ７の厚さが、空調用コンデンサ５の厚さよりも厚くなっていることで、サブラジエータ７の通気抵抗が空調用コンデンサ５の通気抵抗よりも大きくなっているので、簡素な構成で、通気抵抗に差をつけることができる。
【００７６】
なお、たとえば、空調用コンデンサ５の厚さと、サブラジエータ７の厚さとをお互いに等しくし、前後方向における空調用コンデンサ５の位置と、サブラジエータ７の位置とをお互いに一致させれば、冷却装置１の前後方向の寸法を小さくすることができる。この場合、たとえば、空調用コンデンサ５のフィンのピッチを大きくし、サブラジエータ７のフィンのピッチを小さくすれば、上述した通気抵抗の差を得ることができる。
【００７７】
また、冷却装置１によれば、空調用コンデンサ５と、サブラジエータ７とが車両上下方向でならんで配置されており、空調用コンデンサ５がサブラジエータ７の上側に配置されているので、アイドル状態のときに、エンジンで温められた空気（比重が外気よりも小さくなった空気）が、空調用コンデンサ５を通過することを確実に防止することができる。
【００７８】
なお、上述した冷却装置１は、車両前後方向で直列にならんで設けられた複数の熱交換器と、車両の前側から後側に向かって見たときに、前記各熱交換器の後方に設けられていたシュラウドと、前記シュラウド内を流れる空気の流れを生成するための送風機とを有し、前記複数の熱交換器のうちの前側に位置している前側熱交換器は、少なくも２つに分かれており、前記前側熱交換器のうちの一方の熱交換器の通気抵抗が、前記前側熱交換器のうちの他方の熱交換器の通気抵抗よりも小さくなってきる冷却装置の例である。
【００７９】
この場合、前記シュラウドの前側の開口部と、前記前側熱交換器のうちの一方の熱交換器とがお互いに重なっている部位の面積が、前記シュラウドの前側の開口部と、前記前側熱交換器のうちの他方の熱交換器とがお互いに重なっている部位の面積よりも大きくなっていることが望ましい。
【符号の説明】
【００８０】
１  冷却装置
３  車両
５  第１の熱交換器（空調用コンデンサ）
７  第２の熱交換器（サブラジエータ）
９  第３の熱交換器（ラジエータ）
１１  シュラウド
１３  送風機（ファン）
１５  第１熱交換器重なり部位（空調用コンデンサ重なり部位）
１７  第２熱交換器重なり部位（サブラジエータ重なり部位）
１９  シュラウドの前側の開口部
２１  第１熱交換器重なり部位とシュラウドの前側の開口部との重なり部位
２３  第２熱交換器重なり部位とシュラウドの前側の開口部との重なり部位
２５  仕切り板
【図１】
0006382787.tif 000002
【図２】
0006382787.tif 000003
【図３】
0006382787.tif 000004